【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法が、
最大コーディングユニット（ＬＣＵ）と、前記ＬＣＵがどのように区分されるかを記述する前記ＬＣＵのための４分木構造とに関連する復号されたビデオブロックを含むデータを受信することと、前記ＬＣＵに関連する前記復号されたビデオブロックが、第１の復号されたビデオブロックと第２の復号されたビデオブロックとを含む、
前記ＬＣＵ中の復号されたビデオブロック間の境界を決定するために、前記ＬＣＵのための前記４分木構造を分析することと、
ループ内フィルタ処理の一部として、前記第１のビデオブロックと前記第２のビデオブロックとの間の決定された境界において、前記第１のビデオブロックのピクセルをデブロックフィルタ処理することと、
を備え、前記デブロックフィルタ処理することが、
前記境界から離れて垂直に延びる前記第１のブロック中のＮ個のピクセルのライン中の各ピクセルについて、前記ピクセルから前記第１のブロックと第２のブロックとの間の前記境界までの幾何学的距離を決定することと、ここにおいて、前記幾何学的距離が、前記ピクセルと、前記第１のブロックと第２のブロックとの間の前記境界と、の間のピクセルの数に基づく、
２つのピクセルのピクセル値間の差分に基づいてピクセル値差分を決定することと、
前記第１のブロック中のＮ個のピクセルの前記ライン中の各ピクセルについて、第１の要素と第２の要素を乗算することに基づいて、前記ピクセルのピクセル値をデブロックフィルタ処理すべき量を決定することと、前記第１の要素が、前記ピクセルのための前記決定された幾何学的距離に基づき、第２の要素が、前記決定されたピクセル値差分に基づく、
前記第１のブロック中のＮ個のピクセルの前記ラインの各ピクセルのピクセル値に、デブロックフィルタ処理すべき前記それぞれの決定された量を加算することと
を備える、方法。
【請求項２】
ピクセルのピクセル値をデブロックフィルタ処理すべき前記量を決定することが、前記ピクセル値差分および前記ピクセルについて決定された前記幾何学的距離を乗算することを備える、請求項１に記載の方法。
【請求項３】
ピクセル値をデブロックフィルタ処理すべき前記量が、Ｎ個のピクセルの前記ライン中の各ピクセルｉについて、式ｄ（ｉ）・（Ｎ−ｎ（ｉ））／Ｎに基づいて決定され、
ｎ（ｉ）が、Ｎ個のピクセルの前記ラインの前記ピクセルｉについて決定された前記幾何学的距離であり、ｄ（ｉ）が、前記ピクセルのための前記ピクセル値差分である、請求項２に記載の方法。
【請求項４】
前記ピクセル値差分を決定することが、前記境界に最も近い前記第１のブロックのピクセルの値と、前記境界に最も近い前記第２のブロックのピクセルの値との間の差分を決定することを備える、請求項１乃至３のいずれかに記載の方法。
【請求項５】
デブロックフィルタ処理すべき前記量を決定するために使用される前記ピクセル値差分が、前記第１のブロック中のＮ個のピクセルの前記ライン中の各ピクセルについて別個に決定され、
前記ピクセル値差分を決定することが、前記第１のブロック中のＮ個のピクセルの前記ライン中の各ピクセルについて、前記ピクセルの値と、前記ピクセル値差分が決定される前記第１のブロック中の前記ピクセルと前記境界までの距離が等距離である前記第２のブロック中のそれぞれ対応するピクセルの値との間の差分を決定することを備える、請求項１乃至３のいずれかに記載の方法。
【請求項６】
少なくとも前記ピクセル値差分のための重み付けを決定することをさらに備え、
ここにおいて、デブロックフィルタ処理すべき前記量を決定することが、前記幾何学的距離と、前記ピクセル値差分と、前記ピクセル値差分のための前記重み付けとに基づいて、デブロックフィルタ処理すべき前記量を決定することを備える、請求項１に記載の方法。
【請求項７】
前記第１のブロックの一部分のための勾配値を決定することをさらに備え、ここにおいて、前記勾配値が、前記第１のブロックの前記一部分の平滑度を示し、
ここにおいて、デブロックフィルタ処理することは、前記勾配値がしきい値勾配値よりも小さいかまたはそれに等しいことに基づいて、前記ピクセル値をデブロックフィルタ処理することを備える、請求項１に記載の方法。
【請求項８】
第３のブロック中のピクセルのピクセル値と前記第１のブロックの前記デブロックフィルタ処理されたピクセル値との間の差分を示す情報を受信することと、
前記受信された情報に基づいて前記第３のブロックをインター予測またはイントラ予測復号することと
をさらに備える、請求項１に記載の方法。
【請求項９】
ビデオデータを処理するためのデバイスであって、前記デバイスは、
データを受信するためのビデオデータメモリと、
最大コーディングユニット（ＬＣＵ）と、前記ＬＣＵがどのように区分されるかを記述する前記ＬＣＵのための４分木構造とに関連する復号されたビデオブロックを含むデータを受信することと、前記ＬＣＵに関連する前記復号されたビデオブロックが、第１の復号されたビデオブロックと第２の復号されたビデオブロックとを含む、
前記ＬＣＵ中の復号されたビデオブロック間の境界を決定するために、前記４分木構造を分析することと、
ループ内フィルタ処理の一部として、前記第１のビデオブロックと前記第２のビデオブロックとの間の決定された境界において、前記第１のビデオブロックのピクセルをデブロックフィルタ処理することと
を行うように構成されたビデオコーダとを備え、前記デブロックフィルタ処理することが、
前記第１のブロック中のＮ個のピクセルの前記ライン中の各ピクセルについて、前記ピクセルから前記第１のブロックと前記第２のブロックとの間の前記境界までの幾何学的距離を決定することと、ここにおいて、前記幾何学的距離が、前記ピクセルと、前記境界との間のピクセルの数に基づく、
２つのピクセルのピクセル値間の差分に基づいてピクセル値差分を決定することと、
前記第１のブロック中のＮ個のピクセルの前記ライン中の各ピクセルについて、前記それぞれの決定された幾何学的距離と前記ピクセル値差分とに基づいて、前記ピクセルのピクセル値をデブロックフィルタ処理すべき量を決定することと、
前記第１のブロック中のＮ個のピクセルの前記ラインの各ピクセルのピクセル値に、デブロックフィルタ処理すべき前記それぞれの決定された量を加算することと
を備える、デバイス。
【請求項１０】
前記ピクセル値差分を決定することが、前記境界に最も近い前記第１のブロックのピクセルの値と、前記境界に最も近い前記第２のブロックのピクセルとの間の差分を決定することを備える、請求項９に記載のデバイス。
【請求項１１】
デブロックフィルタ処理すべき前記量を決定するために使用される前記ピクセル値差分が、前記第１のブロック中のＮ個のピクセルの前記ライン中の各ピクセルについて別個に決定され、
前記ピクセル値差分を決定することが、前記第１のブロック中のＮ個のピクセルの前記ライン中の各ピクセルについて、前記ピクセルの値と、前記ピクセル値差分が決定される前記第１のブロック中の前記ピクセルと前記境界までの距離が等距離である前記第２のブロック中のそれぞれ対応するピクセルの値との間の差分を決定することを備える、請求項９に記載のデバイス。
【請求項１２】
前記ビデオコーダが、
少なくとも前記ピクセル値差分のための重み付けを決定するように構成され、
ここにおいて、デブロックフィルタ処理すべき前記量を決定するために、前記ビデオコーダが、前記幾何学的距離と、前記ピクセル値差分と、前記ピクセル値差分のための前記重み付けとに基づいて、デブロックフィルタ処理すべき前記量を決定するように構成された、請求項９に記載のデバイス。
【請求項１３】
前記デバイスが、
マイクロプロセッサ、
集積回路（ＩＣ）、または
ワイヤレスハンドセットデバイス
のうちの１つを備える、請求項９に記載のデバイス。
【請求項１４】
実行されたとき、デバイスの１つまたは複数のプロセッサに、請求項１乃至８のいずれかに記載の方法を行わせる命令を記憶したコンピュータ可読記憶媒体。